(57)【要約】【課題】籾摺部として脱ぷロールの構成から遠心脱ぷファン構成への変更に際し、駆動モータの配置構成を工夫することにより、伝動構成の大部分の共用化を図ろうとする。【解決手段】籾を脱ぷする脱ぷ部、摺落米を受けて風選処理する風選部、及び混合米を籾と玄米とに選別する混合米選別部とを備え、一対の籾摺ロールを構成する脱ぷ部の主軸側籾摺ロールに駆動モータからの駆動力を受け、この籾摺ロールを経由して駆動力を吸引ファン、搬送螺旋、揚穀機、及び混合米選別部に供給すべく構成し、一対の籾摺ロールを内装する籾摺室を機体に対して着脱自在に設け、遠心脱ぷファンと混合米の案内筒を備えた遠心脱ぷ装置を、機体に装着する際に該案内筒からの混合米を受けて風選部に送る中継室と上記籾摺室とが交換装着可能に設け、上記籾摺ロールの主軸位置に駆動モータを装着可能に構成する。【選択図】図４
2005103438.tif 000002
【特許請求の範囲】
【請求項１】
籾を脱ぷする脱ぷ部、摺落米を受けて風選処理する風選部、及び混合米を籾と玄米とに選別する混合米選別部とを備え、一対の籾摺ロールを構成する脱ぷ部の主軸側籾摺ロールに駆動モータからの駆動力を受け、この籾摺ロールを経由して駆動力を吸引ファン、搬送螺旋、揚穀機、及び混合米選別部に供給すべく構成し、一対の籾摺ロールを内装する籾摺室を機体に対して着脱自在に設け、遠心脱ぷファンと混合米の案内筒を備えた遠心脱ぷ装置を、機体に装着する際に該案内筒からの混合米を受けて風選部に送る中継室と上記籾摺室とが交換装着可能に設け、上記籾摺ロールの主軸位置に駆動モータを装着可能に設けてなる籾摺選別装置。
【請求項２】
遠心脱ぷ装置の脱ぷファンの軸芯を籾摺ロール仕様の駆動モータの軸芯に一致させてなる請求項１に記載の籾摺選別装置。
【発明の詳細な説明】
【技術分野】
【０００１】
この発明は、籾を脱ぷ処理し籾と玄米とに選別する籾摺選別装置に関するものである。
【背景技術】
【０００２】
籾摺装置において未脱ぷの籾の脱ぷ方法としては、一対の脱ぷロールの周速を異ならせて回転させることで脱ぷする構成としたもの、及び高速回転する遠心脱ぷファンとこれに接近配置される周壁への衝突によって籾殻が剥がれるように構成したものがある。
【０００３】
ところで、摺り出された籾と玄米の混合米は選別部に供給されて選別され、籾は再び脱ぷ部にて脱ぷ処理されるようになし、玄米は機外に回収される。
ところで、ボックス状に構成した摺落米風選部の前部に籾摺ロール型の籾摺部を搭載し、摺落米風選部の後部に回転選別型または揺動選別型の混合米選別部を搭載した籾摺選別機を、有効活用してできるだけ部品の共用化を図りながら籾摺部を遠心脱ぷファン型の籾摺部に仕様変更しようとする技術がある（特許文献１）
即ち、ボックス状に構成した摺落米風選部の後部に混合米選別部を搭載し、前部には遠心脱ぷファンを内装する脱ぷケースを左右一側に突出し且つ上面から下方に突出する状態で配設し、前記脱ぷケースの脱ぷ米を脱ぷ米供給筒により、下方から上方に迂回して摺落米風選部の前側上部に設けた脱ぷ米供給ボックスを経由して下方の摺落米風選部に供給するように構成している。このように構成すると機体フレームを共用するほか、風選部・混合米選別部を共用できてコスト低廉に寄与する。しかしながら、伝動構成については配慮がなく、駆動モータの配置についても同様で、合理的な配置構成が課題となっていた。
【特許文献１】特開２００２−１７２３３７号公報
【発明の開示】
【発明が解決しようとする課題】
【０００４】
脱ぷロールを収容する頭部ボックスから当該脱ぷロールを取り外し、遠心脱ぷファンによる混合米揚穀筒をのぞみ得るよう構成している。このように構成すると機体フレームを共用するほか、風選部・混合米選別部を共用できてコスト低廉に寄与する。しかしながら、伝動構成については配慮がなく、駆動モータの配置についても同様で、合理的な配置構成が課題となっていた。
【０００５】
この発明は、駆動モータの配置構成を工夫することにより、脱ぷファンの配置位置を低位としながら伝動構成の大部分の共用化を図ろうとするものである。
【課題を解決するための手段】
【０００６】
この発明は上記の課題を解決するため、次の技術的手段を講じた。
即ち、請求項１に記載の発明は、籾を脱ぷする脱ぷ部、摺落米を受けて風選処理する風選部、及び混合米を籾と玄米とに選別する混合米選別部とを備え、一対の籾摺ロールを構成する脱ぷ部の主軸側籾摺ロールに駆動モータからの駆動力を受け、この籾摺ロールを経由して駆動力を吸引ファン、搬送螺旋、揚穀機、及び混合米選別部に供給すべく構成し、一対の籾摺ロールを内装する籾摺室を機体に対して着脱自在に設け、遠心脱ぷファンと混合米の案内筒を備えた遠心脱ぷ装置を、機体に装着する際に該案内筒からの混合米を受けて風選部に送る中継室と上記籾摺室とが交換装着可能に設け、上記籾摺ロールの主軸位置に駆動モータを装着可能に設けてなる籾摺選別装置の構成とする。
【０００７】
従って、籾摺室は機体フレームへ着脱自在に構成され、脱ぷファン仕様に変更するときは、該籾摺室に代えて前記中継室を装着することによって仕様の変更を行い得る。駆動モータの回転軸の軸芯は、主軸側籾摺ロールの軸芯に一致するから、、仕様変更を伴っても、吸引ファンを駆動するベルトや粃受樋の移送螺旋を駆動するベルトを等ベルトやプーリを共用化でき、生産ラインでの組立作業においても扱いが単一化されミスを生じない。
【０００８】
請求項２に記載の発明は、遠心脱ぷ装置の脱ぷファンの軸芯を籾摺ロール仕様の駆動モータの軸芯に一致させてなる請求項１に記載の籾摺選別装置の構成とする。
従って、脱ぷファン６０の軸７０芯は、駆動モータ４１の軸芯に一致させているから、仕様変更をしても駆動モータから籾摺ロールの主軸への伝動ベルトと、駆動モータから脱ぷファン軸への伝動ベルトとを共用化できる。
【発明の効果】
【０００９】
請求項１に記載の発明は、駆動モータの回転軸の軸芯は、主軸側籾摺ロールの軸芯に一致するから、仕様変更を伴っても、吸引ファンを駆動するベルトや粃受樋の移送螺旋を駆動するベルトを等ベルトやプーリを共用化でき、生産ラインでの組立作業においても扱いが単一化されミスを生じない。
【００１０】
請求項２に記載の発明は、脱ぷファン６０の軸７０芯は、駆動モータ４１の軸芯に一致させているから、仕様変更をしても駆動モータから籾摺ロールの主軸への伝動ベルトと、駆動モータから脱ぷファン軸への伝動ベルトとを共用化できる。
【発明を実施するための最良の形態】
【００１１】
この発明は、脱ぷファンの回転軸と駆動モータの回転軸との位置関係を、脱ぷロール軸と主軸ロールとの配置関係に類似させることによって風選部、混合米選別部への伝動系の共用化をはかるものである。
【実施例】
【００１２】
以下、図面に示すこの発明の実施例について説明する。
まず、図１に基づき、籾摺選別機の全体構成について説明する。
籾摺選別機は、籾摺部１、籾摺部１からの摺落米を風選する摺落米風選部２、摺落米風選部２での風選後の摺落米を籾・玄米に分離選別する揺動選別型の混合米選別部３、摺落米を混合米選別部３に揚穀する混合米揚穀機４、玄米を機外に取り出す玄米揚穀機５等により構成されている。
【００１３】
図１において、籾摺部１Aは、籾ホッパ６、籾摺ロ−ル７，７の内装されている籾摺室８等で構成され、摺落米は籾摺室８の下方にのぞませる横送りコンベア９で搬送すべく構成している。該コンベア９は振動コンベア形態に構成され揺動運動によって終端側へ向け移送する構成である。
【００１４】
横送りコンベア９の終端部にのぞむ摺落米風選部２は次のように構成されている。すなわち、横送りコンベア９から落下した摺落米を受ける混合米受樋１０に向け排出案内する案内棚１１を下方に備え、該案内棚１１の上方には吸引ファン１２を水平軸周りに回転すべく内装する吸引ファン胴１３を設け、下方から上方に向けてジグザグ状に形成する摺落米風選路１４に吸引風を作用させる構成である。
【００１５】
上記摺落米風選路１４の途中には粃口１５を開口し、該粃口１５をのぞむ粃受樋１６には、後述する籾還元手段としての揚穀機（スロワ）に向け移送する移送螺旋１７を配設してなる。
上記吸引ファン胴１３の側面の円形吸気孔１８を大面積１８ａと小面積１８ｂとに区切り、大面積側を摺落米風選路１４に接続し、小面積側は後記仕上吸塵装置に接続している。１９は吸引ファン胴１３に接続して上方に向け排塵する排塵筒である。
【００１６】
前記混合米受樋１０には移送螺旋２０を備え、混合米を機体一側に立設する混合米揚穀機４の下端側受入部に供給すべく連通させている。
次に、揺動選別型の混合米選別部３について説明する。多段の揺動選別板２５，２５…には、板面に選別用の凹凸が形成されていて、横方向の一側を高い供給側、他側を低い排出側とし、横方向に直交する縦方向の一方側を高い揺上側、反対側を低い揺下側として、揺動選別板２５の縦横２方向ともに傾斜した構成とし、該揺動選別板２５，２５…は揺動アーム２６，揺動リンク２７から構成されている揺動装置２８により横方向斜め上下に往復揺動される構成である。
【００１７】
この揺動選別板２５，２５…の供給側には供給口が構成されていて、案内棚１１に風選された摺落米が混合米揚穀機４，混合米タンク２９，分配供給樋３０及び分配ケース３１を経由して揺動選別板２５，２５…に供給される構成である。揺動選別板２５，…に供給された摺落米は、粒形の大小，比重の大小，摩擦係数の大小等の関係で、比重の重い小形の玄米は揺上側に偏流分布し、玄米に比較して大形で比重の軽い籾は、揺下側に偏流分布し、その中間部には分離されない籾・玄米の混合米が偏流分布しながら選別される。しかして、これらの選別穀粒は、揺動選別板２５の排出側に設けられている玄米仕切板３２及び籾仕切板３３で仕切られて取り出される。
【００１８】
取り出された玄米は、玄米取出樋３４，玄米流路３５，玄米揚穀機５を経て機外に取り出され、混合米は混合米取出樋３６，混合米流路３７，混合米揚穀機４，混合米タンク２９，分配供給樋３０，分配ケース３１を経て、揺動選別板２５，２５…に再度供給されて再選別される。また、取り出された籾は、籾取出樋３８，籾流路３９，籾揚穀機４０を経て籾摺部１に揚穀還元されて、再度の籾摺がなされる構成である。
【００１９】
前記籾摺ロール７，７や横送りコンベア９の下方に形成される空間部Ｓに駆動モータ４１を配設している。この駆動モータ４１と、前記籾摺ロール７，７のうち一方のロール７（図例では機体前方側、側面視において左側）を支持する主軸４２との間に、ベルト４３を掛け回し該主軸４１を駆動する。主軸４２と吸引ファン１２の支持軸４４との間にベルト４５を設け、且つ粃受樋１６の移送螺旋１７軸４６との間にベルト４７を設けている。
【００２０】
上記移送螺旋１７軸４６と、混合米受樋１０の移送螺旋２０軸４８にベルト４９掛けすると共に、該軸４６と玄米揚穀機５のプーリ軸５０とをベルト５１を介して連動する。なお、混合米揚穀機４のプーリ軸５２は、上記移送螺旋２０軸４８との間にベルト５３を設けて連動する。
【００２１】
揺動選別盤２５，２５…の揺動装置２８を構成する揺動アーム２６は、偏心軸５４に連繋されており、この偏心軸５４は上記玄米揚穀機５の軸５０との間に設けたベルト５５を介して連動すべく構成している。上記各部駆動の軸端にはベルト掛け用のプーリ有効径を定めて増減速設定の元に装着するものである。
【００２２】
尚、前記主軸４２と他方の籾摺ロール７を支持する副軸５６とはギア５７，５８連動する構成であり、このとき互いに異なる周速差で正・逆転連動しうる関係に設定している。
５９は、玄米揚穀機５のホッパ部５ａと前記吸引ファン胴１３の吸気孔のうち小面積側１８ｂとの間に接続された吸塵パイプで、仕上げ玄米中に浮遊する塵埃類を吸引除去する。
【００２３】
図４は、籾摺ロール７，７に代えて遠心脱ぷ装置６０を構成するものである。即ち、籾摺部は、籾ホッパ６、脱ぷファン６１等で構成される。
遠心脱ぷファン６１は脱ぷケース６２に水平軸７２まわりに回転可能に設けられ、脱ぷケース６２から延出する案内筒６４は、前記籾摺ロ−ル７，７の内装されている籾摺室８に類似形状に形成した中継室６５に接続される。なおこの中継室６５は、内部を仕切板６６で２室に仕切り、混合米受室６５ａとモータ収容室６５ｂとに形成され、混合米受室６５ａに上記案内筒６３の先端部６３ａを接続する。一方モータ収容室６５ｂには後記の駆動モータを配置している。
【００２４】
上記混合米受室６４ａの内部には、混合米の流速を緩和する衝突板６７を配設している。
６８は上部の籾ホッパ６の籾を脱ぷケース６２の中心部に形成する受け部に案内すべく設けた籾流路である。
【００２５】
前記モータ収容室６５ｂ内には駆動モータ７０を配置し、このモータ７０からベルト７１を介して脱ぷファン６１の軸７２を駆動すべく構成する。一方該駆動モータ７０から直接吸引ファン１２の支持軸４４及び粃受樋１６の移送螺旋１７軸４６を駆動する。以下、図１における伝動形態と同様である。
【００２６】
図１における籾摺室８は機体フレームへ取付ベース８ａをもって機体前上部に着脱自在に構成され、図４に示す遠心脱ぷ装置仕様に変更するときは、該籾摺室８に代えて取付ベース６５ａを同じくする前記中継室６５を装着することによって仕様の変更を行い得る。図例では、駆動モータ７０の回転軸７０ａの軸芯は、主軸４２側籾摺ロール７の軸芯に一致し、遠心脱ぷファン６１の軸７２芯は、駆動モータ４１の軸芯に一致させている。主軸４２の位置と、駆動モータ７０の位置とが同じに構成されるから、仕様変更を伴っても、吸引ファン１２を駆動するベルト４５や粃受樋１６の移送螺旋を駆動するベルト４７を共用化でき、生産ラインでの組立作業においても扱いが単一化されミスを生じない。加えて実施例では、脱ぷファン６１の軸７２芯と駆動モータ４１の軸芯とを一致させているから、仕様変更をしても前記ベルト４３とベルト７１とを共用化できる。
【００２７】
図７〜図１０に基づいて機内の吸塵構造について説明する。
摺落米風選路１４を形成すべく吸引ファン１２を機体の上方に設け、吸引ファン胴１３の側面の吸気孔１８は、大面積１８ａと小面積１８ｂとに形成され、上記摺落米風選路１４を形成する風路は大面積に接続される。一方小面積の吸気孔１８ｂには、仕上玄米を機外に回収すべく設けたバケット形態の玄米揚穀機５のホッパ部５ａに一端を接続した吸塵パイプ７３を接続している。また、この吸塵パイプ７３の途中には切替弁７４を介して第２、第３の吸塵パイプ７５．７６を接続する。なお、吸塵パイプ７５は、混合米揚穀機４に連通する混合米タンク２９に、吸塵パイプ７６は揺動選別板２５の混合米取出樋３６に夫々のぞませて浮遊する塵埃を吸引すべく構成している。なお、７７は集合パイプで、小面積の吸気孔１８ｂに通じる。
【００２８】
断面円形の前記吸塵パイプ７３に、吸塵パイプ７５，７６を接続すべく開口７５ａ，７６ｂを設け、吸塵パイプ７３内に前記切替弁７４を回転自在に嵌合している。
この切替弁７４を回転調整することによって、３つの吸塵パイプ全体によって吸塵可能な状態（図９（イ））、吸塵パイプ７３及び吸塵パイプ７５によって吸塵可能な状態（同（ロ））、吸塵パイプ７３及び吸塵パイプ７６によって吸塵可能な状態（同（ハ））に切り換えられる。また、開口を調整することによって、吸塵効果を調整することもできる。
【００２９】
従来玄米揚穀機５の吸塵パイプ７３単独での吸塵が主であったため、吸塵効果が大で玄米飛散が生じていた。ところが上記のように複数箇所からの吸塵パイプを構成し、この吸塵パイプからの連通状態を選択しうる切替弁を構成し、上記のように複数箇所に塵埃吸塵パイプを接続すると、機内全体での吸塵量を確保しながら、個別の吸塵作用は減少するため、玄米飛散などの恐れが少なくなる。
【００３０】
また、切替弁の形態としては、図１０に示すように複数の吸塵パイプを集合させてその夫々に開度調整弁（図示せず）を設けて吸気量を独立的に調整しうる構成でもよい。
図１１は籾摺部として遠心脱ぷ装置を構成する籾摺装置の改良に関する。
【００３１】
籾摺選別機は、籾摺部８１、籾摺部８１からの摺出米を風選する摺出米風選部８２、摺出米風選部８２で風選した混合米を回転選別筒により籾・玄米に分離選別する混合米選別部８３、混合米揚穀機８４、玄米揚穀機８５により構成されている。
【００３２】
籾摺部８１は、籾ホッパ８６、遠心脱ぷファン装置８７で構成されている。遠心脱ぷファン装置８７は、摺出米風選部８２の摺出米風選箱体８８の前部一側に配置している籾摺ケース８７ａと、籾摺ケース８７ａ内に回転自在に設けられている脱ぷファン８７ｂ，８７ｂ，…と、前記脱ぷファン８７ｂ，８７ｂ，…の内周部に籾を供給する元籾供給部８７ｃと、摺出米を摺出米風選部８２に移送供給する摺出米供給筒８７ｄにより構成されている。
【００３３】
しかして、籾ホッパ８６に供給された元籾は元籾供給部８７ｃを経て籾摺ケース８７ａの中心部である脱ぷファン８７ｂ，８７ｂ，…の中心部に供給され、供給された籾は脱ぷファン８７ｂ，８７ｂ，…上を外周側に撥ね飛ばされて、外周屈曲部で急激な方向変換がなされて籾摺ケース８７ａ外周部のライニングに衝突しその大半が籾摺され、摺出米は摺出米供給筒８７ｄ内を旋回しながら摺出米風選部８２の摺出米風選路８９の上手側に供給される。
【００３４】
また、摺出米風選部８２の摺出米風選箱８８内には、後側から前側に向けて斜設した摺出米風選路８９が設けられていて、摺出米風選路８８の中途部下方には粃受樋９０が設けられ、摺出米風選路８９の始端部下方には摺出米受樋９１が設けられていて、摺出米風選路８９の終端部には吸引フアン９２が設けられていて、吸引ファン９２の排風部には排塵筒９３が接続されている。
【００３５】
摺出米供給筒８７ｄはほぼ水平姿勢で後方に延出し、その先端側は次のように構成されている。即ち、摺出米風選箱８８の幅方向に拡散しうるよう、供給筒８７ｄの先端は左右方向に扇型に拡開形状をなし内部に仕切板９４，９４…を配設して複数の吐出ブロックに構成され、摺出米受樋９１の上手側にのぞませている。
【００３６】
しかして、摺出米供給筒８７ｄからの摺出米は圧風によって勢いよく移動し、上方への方向変換と吐出ブロックによる左右幅方向への拡開とが相俟って流速が弱められた状態で上記複数の吐出ブロックから摺出米風選路８９の始端側に供給される。案内された摺出米は、摺出米風選路８９で風選され、軽い籾殻や塵埃類は吸引ファン９１、排塵筒９３を経て機外に排出され、重い混合米は摺出米受樋９１に落下選別され、比較的軽い粃は粃受樋９０に落下選別される。
【００３７】
上記のように、摺出米供給筒８７ｄを摺出米風選路８９の始端側に供給する構成とすると、該供給筒８７ｄからの供給位置と圧風状態であるから混合米の送り作用を伴うのみならず、摺出米風選路８９の選別風を助長し、安定した選別風量の確保に寄与する。なお、混合米は摺出米供給筒８７ｄからの摺出米は圧風によって勢いよく移動しうるから、出口部には混合米の流動を抑制すべく抵抗板９５を設けて、過剰飛散を防止している。また、選別風は後方の開口部から吸引されるが、摺出米供給筒８７ｄからの圧風に影響されるときは、開閉調整弁９６によって後方からの選別風の流入を抑制すべく調整するものである。
【００３８】
上記のように、摺出米供給筒８７ｄを直接的に摺出米風選路８９の始端側下方より上方に向けて跳ね出すべく作用させることによって、選別風路を横断的に移動するので摺出米の風選処理を十分に受けることができ、ひいては異物分離に効果的である。
【００３９】
次に、回転選別筒型の混合米選別部８３について説明する。摺出米風選箱８８の後側上部に混合米選別部８３が配置されていて、混合米選別部８３は次のように構成されている。選別ケース１０１内には前後方向の軸心回りに回転する回転選別筒１０２を配置している。選別ケース１０１の前側板下部と後側板下部の間には左右一対の駆動軸（図示せず）を架設し、この駆動軸の前後両端部に駆動ローラー（図示せず）を夫れ夫れ取り付け、これらの駆動ローラー上に回転選別筒１０２の前・後円筒フランジ部を載置し、回転選別筒１０２が回転するように構成している。
【００４０】
回転選別筒１０２の中心部には玄米を受ける玄米受樋１０３を架設し、玄米受樋１０３内には前側に向けて穀粒を移送する玄米ラセン１０３ａを設けている。また、玄米受樋１０３に沿わせて穀粒汲み上げ側の下方位置に供給樋１０４を配置し、供給樋１０４には穀粒を後側に移動する供給ラセン１０４ａを設け、供給樋１０４の後部の供給口から回転選別筒１０２の後側である選別始端側に穀粒を供給するように構成している。
【００４１】
また、玄米受樋１０３の回転選別筒１０２の上昇回転側には、玄米調節弁（図示せず）を回動自在に軸支して受け面積を調節できるように構成し、供給樋１０４の上昇回転側にも混合米調節弁（図示せず）を回動自在に軸支して受け面積を調節できるように構成している。
【００４２】
回転選別筒１０２の選別終端部には汲上羽根（図示せず）を設け、回転選別筒１０２の終端側に流動した籾を主体とした穀粒を汲上羽根（図示せず）により汲み上げ、籾還元樋（図示せず）を経て籾ホッパ（図示せず）に還元するように構成している。
【００４３】
しかして、摺出米風選部８２で風選された混合米は混合米揚穀機８４により混合米ホッパ（図示省略）を経て回転選別筒１０２内の供給樋１０４の前側部に供給され、次いで供給ラセン１０３ａで後側に搬送されて回転選別筒８９の後側の選別始端部に供給される。供給された混合米は、回転選別筒１０２の壷穴により汲み上げられ、大粒で長い籾粒や一部の玄米は中途部から落下して下側の供給樋１０４に受けられる。供給樋１０４に受けられた穀粒は供給ラセン１０４ａにより回転選別筒８９の後側の選別始端側に移送されて、回転選別筒８９の選別始端部に供給され再選別される。
【００４４】
また、小粒で短い玄米は高く汲み上げられて玄米受樋１０３に落下し、次いで玄米ラセン１０３ａで前側に移送され、玄米流下通路（図示せず）、玄米樋を経て、玄米揚穀機８５により機外に取り出される。また、大粒で長い籾粒は低い位置から落下して回転選別筒１０２の内周面に回収され、次いで回転選別筒の内周面に回収されつつ終端側に流動し、回転選別筒１０２の終端部に設けられている汲上羽根により汲み上げられ、籾還元樋を経て籾摺部８１の籾ホッパに還元されて再籾摺される。
【図面の簡単な説明】
【００４５】
【図１】籾摺選別機の全体の切断側面図である。
【図２】籾摺選別機の全体の一部切断平面図である。
【図３】要部の斜視図である。
【図４】異なる籾摺部仕様の籾摺選別機の全体の切断側面図である。
【図５】異なる籾摺部仕様の籾摺選別機の全体の一部切断平面図である。
【図６】異なる籾摺部仕様の要部の斜視図である。
【図７】吸塵構成例を示す籾摺選別機の全体の切断側面図である。
【図８】吸塵構成例を示す籾摺選別機の全体の平面図である。
【図９】（イ）（ロ）（ハ）切替弁部分の断面図である。
【図１０】異なる例の切替弁を示す断面図である。
【図１１】他の例を示す籾摺選別機の全体の側面図である。
【図１２】その一部の拡大側断面図である。
【図１３】遠心脱ぷファンの一例を示す斜視図である。
【図１４】遠心脱ぷファンの装着状態一例を示す平面図である。
【符号の説明】
【００４６】
１    籾摺部
２    摺落米風選部
３    混合米選別部
４    混合米揚穀機
５    玄米揚穀機
６    籾ホッパ
７    籾摺ロール
８    籾摺室
９    横送りコンベア
１０    混合米受樋
１１    案内棚
１２    吸引ファン
１３    吸引ファン胴
１４    摺落米風選路
１５    粃口
１６    粃受樋
４１    駆動モータ
４２    主軸
４３    ベルト
４４    支持軸
４５    ベルト
４６    移送螺旋軸
４７    ベルト
４８    移送螺旋軸
４９    ベルト
５０    プーリ軸
５１    ベルト
５２    プーリ軸
５３    ベルト
５４    偏心軸
５５    ベルト
５６    副軸
６１    脱ぷファン
６２    脱ぷケース
６３    案内筒
６５    中継室
６５ａ  混合米受室
６５ｂ  モータ収容室
７０    駆動モータ
７１    ベルト
７２    脱ぷファン軸
【図１】
2005103438.tif 000003
【図２】
2005103438.tif 000004
【図３】
2005103438.tif 000005
【図４】
2005103438.tif 000006
【図５】
2005103438.tif 000007
【図６】
2005103438.tif 000008
【図７】
2005103438.tif 000009
【図８】
2005103438.tif 000010
【図９】
2005103438.tif 000011
【図１０】
2005103438.tif 000012
【図１１】
2005103438.tif 000013
【図１２】
2005103438.tif 000014
【図１３】
2005103438.tif 000015
【図１４】
2005103438.tif 000016